(57)【要約】【課題】光源モジュールは基板、反射アセンブリ及び複数の点光源を含む。【解決手段】反射アセンブリは基板の上に設置され、反射アセンブリは第一方向に沿って設置された複数の第一仕切り板、第二方向に沿って設置された複数の第二仕切り板及び複数の反射構造を有し、且つ、複数の第一仕切り板と複数の第二仕切り板が交互設置されて複数の反射溝孔を形成する。基板の上表面の一部が反射溝孔に露出され、且つ複数の反射構造がそれぞれ複数の反射溝孔中に配置され、複数の第一仕切り板、複数の第二仕切り板及び複数の反射構造は一体成型されている。複数の点光源は基板の上に設置され、且つそれぞれ複数の反射溝孔の中に位置し、複数の点光源はそれぞれ複数の反射構造の下方に位置する。これにより、本発明の光源モジュールは光混合距離を大幅に低減することができる。【選択図】図１
2019012687.tif 000002
【特許請求の範囲】
【請求項１】
光源モジュールであって、
前記光源モジュールは基板、反射アセンブリ及び複数の点光源を含み、
前記反射アセンブリは、前記基板の上に設置され、且つ、第一方向に沿って設置された複数の第一仕切り板、第二方向に沿って設置された複数の第二仕切り板、及び複数の反射構造を有し、
前記複数の第一仕切り板と前記複数の第二仕切り板は交互に設置されて、複数の反射溝孔を形成し、
前記基板の上表面の一部が前記複数の反射溝孔に露出され、且つ、前記複数の反射構造がそれぞれ前記複数の反射溝孔中に配置され、
前記複数の第一仕切り板、前記複数の第二仕切り板及び前記複数の反射構造が一体成型され、
前記複数の点光源は前記基板の上に設置され、且つ、それぞれ前記複数の反射溝孔の中に位置し、
前記複数の点光源はそれぞれ前記複数の反射構造の下方に位置することを特徴とする、光源モジュール。
【請求項２】
前記第一方向と前記第二方向は互いに垂直であることを特徴とする、請求項１に記載の光源モジュール。
【請求項３】
前記複数の第一仕切り板と前記複数の第二仕切り板の何れが対向する底面と頂面を有し、且つ、前記頂面の幅が前記底面の幅より小さいことを特徴とする、請求項１に記載の光源モジュール。
【請求項４】
前記複数の第一仕切り板と前記複数の第二仕切り板の交差箇所に、前記基板の方向に向って窪んだ凹部を有することを特徴とする、請求項１に記載の光源モジュール。
【請求項５】
前記複数の反射構造の各々に、少なくとも一つの透光孔が貫通して設けられていることを特徴とする、請求項１に記載の光源モジュール。
【請求項６】
前記複数の反射構造の各々は、対応する前記複数の点光源の各々に向って突起した反射部を有することを特徴とする、請求項１に記載の光源モジュール。
【請求項７】
前記反射アセンブリはさらに複数の接続部材を有し、
前記複数の反射構造の各々は、前記複数の接続部材のうちの少なくとも一つによって、前記複数の第一仕切り板及び／又は前記複数の第二仕切り板に接続され、
前記複数の接続部材は、前記複数の第一仕切り板、前記複数の第二仕切り板及び前記複数の反射構造と一体成型されていることを特徴とする、請求項１に記載の光源モジュール。
【請求項８】
前記反射アセンブリはさらに複数の定位柱を有し、
前記複数の定位柱の各々は、一端が前記複数の接続部材のうちの一つに接続され、他端が前記基板に固定され、
前記複数の定位柱は、前記複数の第一仕切り板、前記複数の第二仕切り板、前記複数の反射構造及び前記複数の接続部材と一体成型されていることを特徴とする、請求項７に記載の光源モジュール。
【請求項９】
前記反射アセンブリはさらに底板を有し、
前記底板は、前記基板の前記上表面の上に設置され、且つ、前記複数の第一仕切り板及び前記複数の第二仕切り板の下方に位置し、
前記底板に複数の穿通孔が貫通して設けられ、前記複数の点光源がそれぞれ前記複数の穿通孔に対応して穿設され、
前記底板、前記複数の第一仕切り板、前記複数の第二仕切り板及び前記複数の反射構造が一体成型されていることを特徴とする、請求項１に記載の光源モジュール。
【請求項１０】
前記反射アセンブリはさらに、底板及び複数の連結部材を含み、
前記底板は前記基板の前記上表面の上に設置され、且つ前記複数の第一仕切り板及び前記複数の第二仕切り板の下方に位置し、
前記底板に複数の穿通孔が貫通して設けられ、前記複数の点光源がそれぞれ前記複数の穿通孔に対応して穿設され、
前記複数の反射構造の各々は、前記複数の連結部材のうちの少なくとも一つによって、前記底板に接続され、
前記底板、前記複数の連結部材、前記複数の第一仕切り板、前記複数の第二仕切り板及び前記複数の反射構造が一体成型されていることを特徴とする、請求項１に記載の光源モジュール。
【請求項１１】
前記反射アセンブリを囲む筐体をさらに含む、請求項１に記載の光源モジュール。
【請求項１２】
前記筐体及び前記反射アセンブリが一体成型されていることを特徴とする、請求項１１に記載の光源モジュール。
【請求項１３】
前記光源モジュールはさらに拡散板を含み、
前記拡散板は前記筐体上に配置され、且つ前記反射アセンブリを覆い、
前記複数の第一仕切り板及び前記複数の第二仕切り板の何れの頂面と前記拡散板との間に隙間を有することを特徴とする、請求項１１に記載の光源モジュール。
【請求項１４】
光源モジュールであって、
前記光源モジュールは、基板、反射アセンブリ及び複数の点光源を含み、
前記反射アセンブリは、前記基板の上に設置され、且つ複数の反射溝孔及び複数の反射構造を有し、
前記複数の反射溝孔の各々は、前記基板に平行ではない少なくとも一つの反射面によって構成され、前記基板の上表面の一部を前記複数の反射溝孔に露出させ、前記複数の反射構造がそれぞれ前記複数の反射溝孔中に配置され、
前記反射アセンブリが一体成型され、
前記複数の点光源は前記基板の上に設置され、且つ、それぞれ前記複数の反射溝孔の中に位置し、
前記複数の点光源はそれぞれ前記複数の反射構造の下方に位置することを特徴とする、光源モジュール。
【発明の詳細な説明】
【技術分野】
【０００１】
本発明は光源モジュールに関し、特に複数の反射溝孔を有する光源モジュールに関する。
【背景技術】
【０００２】
バックライトモジュールは液晶ディスプレイの重要な構成部品の一つであり、液晶表示パネル自身が発光できないため、バックライトモジュールの機能は、輝度が十分で分布が均一な光源を提供し、液晶表示パネルに正常な映像を表示させることである。一般的に言うと、バックライトモジュールは、発光源が端にあるエッジライト式構造及び発光源が真下にある直下式構造に分類され、そのうち、エッジライト式バックライトモジュールは通常中小サイズの液晶表示パネルに応用され、直下式バックライトモジュールは通常比較的に大きいサイズの液晶表示パネルに応用される。
【０００３】
直下式バックライトモジュールの拡散板が光源の上方に設置されるため、均一な光を出せるよう、光源と拡散板との間に光混合を行うための所定距離を保持しなければならない。従って、伝統的な直下式バックライトモジュール全体の厚さは、光源の設置位置と光混合距離の要求により、相当程度の厚さを必要とし、且つ薄型化の傾向に合わない。そのため、如何にしてバックライトモジュール全体の厚さを低減させ、且つ優れた光混合効果を得るかは、実に当業者が関心を寄せる焦点であった。
【０００４】
「背景技術」は本発明の内容に関する理解を助けるものであるため、「背景技術」に開示された内容には、当業者に知られている周知技術を構成しないものが含まれていることもある。また、「背景技術」に開示された内容は、前記内容又は本発明の一つ若しくは複数の実施例が解決しようとする問題を意味するものではなく、また、本発明がその出願前に既に当業者に知られ、又は認知されていたことを意味するものでもない。
【発明の概要】
【発明が解決しようとする課題】
【０００５】
本発明は、光源モジュールの拡散板と基板との間の光混合距離を大幅に低減できる光源モジュールを提供する。
【課題を解決するための手段】
【０００６】
本発明のその他の目的と利点について、本発明が開示する技術的特徴から、一層理解を深めることができる。
【０００７】
上記一つ、一部若しくは全ての目的、又はその他の目的を達成するために、本発明の一実施例は基板、反射アセンブリ及び複数の点光源を含む光源モジュールを提供する。反射アセンブリは基板の上に設置され、反射アセンブリは第一方向に沿って設置された複数の第一仕切り板、第二方向に沿って設置された複数の第二仕切り板、及び複数の反射構造を有する。複数の第一仕切り板と複数の第二仕切り板が交互に設置されて複数の反射溝孔を形成し、基板の上表面の一部が複数の反射溝孔に露出され、且つ、複数の反射構造がそれぞれ複数の反射溝孔中に配置され、複数の第一仕切り板、複数の第二仕切り板及び複数の反射構造が一体成型されている。複数の点光源は基板の上に設置され、且つ複数の反射溝孔の中にそれぞれ位置し、複数の点光源はそれぞれ複数の反射構造の下方に位置する。
【０００８】
上記一つ、一部若しくは全ての目的、又はその他の目的を達成するために、本発明の一実施例は基板、反射アセンブリ及び複数の点光源を含む光源モジュールを提供する。反射アセンブリは基板の上に設置され、反射アセンブリは複数の反射溝孔及び複数の反射構造を有し、反射溝孔は基板に平行ではない少なくとも一つの反射面によって構成されることで、基板の上表面の一部が反射溝孔に露出され、複数の反射構造がそれぞれ複数の反射溝孔中に配置され、反射アセンブリは一体成型されたものである。複数の点光源は基板の上に設置され、それぞれ複数の反射溝孔の中に位置し、複数の点光源はそれぞれ複数の反射構造の下方に位置する。
【０００９】
本発明の実施例の光源モジュールは、複数の第一仕切り板、複数の第二仕切り板及び複数の反射構造を設置して複数の反射溝孔を形成することにより、反射溝孔中に設置された点光源が発射した光線を多様なルートで拡散板まで伝達することができるため、より良い光混合効果が得られ、反射溝孔内の光源が中心（即ち、点光源の所在位置）に集中する問題を防止し、光源モジュールの拡散板と基板との間の光混合距離を大幅に短縮することができ、これによって光源モジュールの厚さを低減することができる。
【００１０】
本発明の上記及びその他の目的、特徴及び利点を明確且つ分かりやすく示すべく、以下はその好ましい実施例について、図面を参照しながら詳しく説明する。
【図面の簡単な説明】
【００１１】
【図１】本発明の一実施例の光源モジュールの分解概略図。
【図２】本発明の一実施例の光源モジュールの一部構造の概略図。
【図３】本発明の一実施例の光源モジュールの一部構造の断面概略図。
【図４】本発明の別の実施例の光源モジュールの一部構造の断面概略図。
【図５Ａ】本発明のさらに別の実施例の光源モジュールの一部構造の概略図。
【図５Ｂ】本発明のさらに別の実施例の光源モジュールの一部構造の断面概略図。
【図６Ａ】本発明のさらに別の実施例の光源モジュールの一部構造の概略図。
【図６Ｂ】本発明のさらに別の実施例の光源モジュールの一部構造の断面概略図。
【発明を実施するための形態】
【００１２】
本発明の上記及びその他の技術内容、特徴及び効果について、以下の図面を参照した好ましい実施例の詳細説明において明確に示されている。以下の実施例中に言及される方向用語、例えば、上、下、左、右、前又は後などは図面を参照した方向のみを意味する。従って、これらの方向用語は説明のみが目的であり、本発明を制限するものではない。
【００１３】
図１は本発明の一実施例の光源モジュールの分解概略図であり、図２は図１に示された光源モジュールの一部構造の概略図であり、図３は図２に示された光源モジュールの一部構造のＣ−Ｃ線に沿った断面概略図である。説明の便宜上、図２には拡散板１５が描かれていない。図１、図２及び図３を参照すると、光源モジュール１０は反射アセンブリ１１、基板１３及び複数の点光源１３１を含む。反射アセンブリ１１は基板１３の上方に設置され、且つ、複数の第一仕切り板１１２、複数の第二仕切り板１１３及び複数の反射構造１１５を有し、複数の第一仕切り板１１２、複数の第二仕切り板１１３及び複数の反射構造１１５が一体成型されている。
【００１４】
反射アセンブリ１１の複数の第一仕切り板１１２はそれぞれ第一方向Ａに沿って設置され、複数の第二仕切り板１１３はそれぞれ第二方向Ｂに沿って設置され、且つ、複数の第一仕切り板１１２と複数の第二仕切り板１１３が交互に設置されて複数の反射溝孔１１４を形成し、これによって基板１３の上表面１３３の一部が複数の反射溝孔１１４に露出される。言い換えれば、本実施例の各反射溝孔１１４は基板１３に平行ではない４つの反射面によって構成されることで、基板１３の上表面１３３の一部が反射溝孔１１４に露出されるが、本発明はこれに限定されない。本発明の別の実施例において、各反射溝孔１１４は基板１３に平行ではない少なくとも一つの反射面によって構成されてもよい。例えば、反射アセンブリの各反射溝孔が基板に平行ではない６つの反射面によって構成された場合、蜂の巣のような構造を有する反射アセンブリを形成することができる。さらに、例えば、反射アセンブリの各反射溝孔が基板に平行ではない１つの反射面によって構成された場合、円環型又は椀型（半球型）の反射溝孔を有する反射アセンブリを形成できる。複数の点光源１３１は、基板１３の上に設置され、且つ複数の反射溝孔１１４の中にそれぞれ位置する。複数の反射構造１１５はそれぞれ複数の反射溝孔１１４中に配置され、且つ複数の点光源１３１はそれぞれ複数の反射構造１１５の下方に位置する。
【００１５】
具体的に言うと、光源モジュール１０の反射アセンブリ１１は例えば複数の接続部材１１６をさらに含み、反射アセンブリ１１の各反射構造１１５が少なくとも一つの接続部材１１６によって、反射アセンブリ１１の複数の第一仕切り板１１２及び／又は複数の第二仕切り板１１３に接続されて、複数の反射構造１１５がそれぞれ複数の点光源１３１の上方に設置される。本実施例において、各反射構造１１５が４つの接続部材１１６によって第一仕切り板１１２及び第二仕切り板１１３に接続される例を挙げて説明し、複数の反射構造１１５がそれぞれ複数の点光源１３１の上方に設置されている。本発明の別の実施例において、各反射構造１１５が例えば１つ、２つ又は任意数の接続部材１１６によって第一仕切り板１１２及び／又は第二仕切り板１１３に接続されることも可能であり、本発明はこれに限定されない。
【００１６】
また、光源モジュール１０は筐体１２をさらに含み、この筐体１２が反射アセンブリ１１を囲んで設置されてもよい。筐体１２は例えば支持部１２１及び支持部１２３を有する。
【００１７】
また、光源モジュール１０は拡散板１５をさらに含み、この拡散板１５が筐体１２の上に配置され、且つ反射アセンブリ１１を覆ってもよい。ここで、拡散板１５は例えば筐体１２の支持部１２１上に配置され、筐体１２の支持部１２３を例えば液晶パネルなどの素子の取り付けに用いることができるが、本発明はこれに限定されない。なお、本実施例では筐体１２が２つの支持部１２１及び１２３を有する例を挙げて説明するが、多様な素子を設置するために、筐体１２がより多くの支持部を有することも可能であり、本発明はこれに限定されない。また、拡散板１５と基板１３の上表面１３３との間隔は即ち光混合距離ｄ１であり、点光源１３１が発射した光線を混合させて、光源モジュール１０の出光をより均一にするためにある。
【００１８】
本実施例において、反射アセンブリ１１の複数の第一仕切り板１１２、複数の第二仕切り板１１３、複数の反射構造１１５と複数の接続部材１１６は一体成型されているため、反射アセンブリ１１の外側に位置する反射溝孔１１４の外側辺が第一仕切り板１１２及び／又は第二仕切り板１１３であってもよい。また、筐体１２が反射アセンブリ１１と一体成型されてもよいため、反射アセンブリ１１の外側に位置する反射溝孔１１４の外側辺が筐体１２の内側辺であってもよい。また、反射アセンブリ１１と筐体１２は、例えば高反射率を有するプラスチック及び／又は金属材料によって製作されてもよく、また、例えば高反射率のコーティング層を塗布したプラスチック及び／又は金属材料によって製作されてもよいが、本発明はこれに限定されない。
【００１９】
本実施例において、点光源１３１が発光ダイオード（ＬＥＤ）である例を挙げて説明するが、本発明はこれに限定されない。点光源１３１の出光方向が基板１３の上方に向くように設置され、複数の反射構造１１５がそれぞれ複数の点光源１３１の上方に位置し、且つ複数の点光源１３１の発光面を覆う。また、各反射構造１１５上に少なくとも一つの透光孔１１５１が貫通して設けられてもよい。本実施例において、各反射構造１１５上に５つ透光孔１１５１が貫通して設けられた例を説明するが、本発明はこれに限定されない。
【００２０】
光源モジュール１０の動作時に、基板１３上に設置された複数の点光源１３１が点灯し、点光源１３１が上に向って光線を射出する。点光源１３１が発射した光線のうち、一部の光線が直接反射構造１１５上の透光孔１１５１を通って拡散板１５まで射出され、一部の光線が直接拡散板１５に入射され、その他の一部の光線が反射構造１１５によって基板１３まで反射される。反射構造１１５によって基板１３まで反射された光線のうち、一部が基板１３によって直接拡散板１５まで反射され、一部の光線が基板１３によって第一仕切り板１１２及び／又は第二仕切り板１１３まで反射された後、さらに第一仕切り板１１２及び／又は第二仕切り板１１３によって拡散板１５まで反射される。そのうち、一部の光線が基板１３に反射された後、さらに反射構造１１５上の透光孔１１５１を通って拡散板１５まで射出されることも可能である。同時に、一部の光線が反射構造１１５及び基板１３に複数回に亘って反射された後拡散板１５まで射出されることも可能である。拡散板１５は複数の光線を均一に拡散させた後拡散板１５の上方から射出させることができるため、光源モジュール１０が均一な面光源を提供し、例えば、液晶表示装置、ライトボックス又は商業用看板などの装置に応用することができる。
【００２１】
本実施例の光源モジュール１０は、複数の第一仕切り板１１２、複数の第二仕切り板１１３及び複数の反射構造１１５を設置することで複数の反射溝孔１１４を形成する。反射溝孔１１４中に設置された点光源１３１が発射した光線を上記多様なルートで拡散板１５まで伝達することが可能であり、即ち、一部の光線が反射構造１１５を通って拡散板１５まで到達し、一部の光線が直接拡散板１５に入射し、一部の光線が基板１３、第一仕切り板１１２及び／又は第二仕切り板１１３を経由して拡散板１５まで反射される。そのため、より良い光混合効果が得られ、反射溝孔１１４内の光源が中心（即ち、光源１３１の所在位置）に集中する問題を防止し、拡散板１５と基板１３間の光混合距離ｄ１を大幅に短縮することが可能であるため、本実施例の光源モジュール１０を適用した表示装置、ライトボックス又は商業用看板の厚さを大幅に縮小することができる。液晶表示装置の薄型化が求められる昨今、本実施例のような短い光混合距離ｄ１を有し、且つ優れた光混合効果が得られる光源モジュール１０は応用価値がとても高い。同時に、複数の第一仕切り板１１２及び／又は複数の第二仕切り板１１３が形成する複数の反射溝孔１１４はさらに表示装置のローカルディミング（Ｌｏｃａｌ  ｄｉｍｍｉｎｇ）に応用され、各反射溝孔１１４中の点光源１３１のスイッチと発光輝度をそれぞれ制御することによって、表示装置の表示特性、例えばコントラストなどを向上させることができる。
【００２２】
光源モジュール１０の反射アセンブリ１１と筐体１２を一体成型できるため、高速大量生産に適しており、且つコストを削減できる。なお、一体成型の反射アセンブリ１１と筐体１２は、例えば、射出成形のプラスチック材料又は鋳造成形の金属材料で製作することができるが、本発明はこれに限定されない。且つ、光源の上方にレンズを設置して拡散発光を達成する従来技術に比べると、本実施例の光源モジュール１０の一体成型の反射アセンブリ１１と筐体１２は、設置時に求められる精度要求が比較的に低い。製作時に、一体成型された反射アセンブリ１１と筐体１２を基板１３の上に設置して、複数の反射構造１１５がそれぞれ複数の点光源１３１の上方に位置し、且つ複数の点光源１３１の発光面を覆うようにするだけでよいため、高速大量生産に適しており、且つ組立てコストを削減できる。
【００２３】
また、優れた反射効果を提供するよう、本実施例の光源モジュール１０の基板１３の上表面１３３に高反射率のコーティング層を塗布してもよいが、本発明はこれに限定されない。
【００２４】
図２及び図３が示すように、本実施例において、複数の第一仕切り板１１２及び複数の第二仕切り板１１３の頂面と拡散板１５との間に間隔ｄ２を有するため、第一仕切り板１１２と第二仕切り板１１３の高さが拡散板１５と基板１３との間の光混合距離ｄ１より小さくなっている。複数の第一仕切り板１１２及び複数の第二仕切り板１１３の頂面と拡散板１５との間に間隔ｄ２を有するため、複数の第一仕切り板１１２と複数の第二仕切り板１１３によって拡散板１５の上方に影が発生することを防止し、光源モジュール１０の出光をより均一にすることができる。
【００２５】
図１及び図２が示すように、本実施例において、複数の第一仕切り板１１２と複数の第二仕切り板１１３が交差する箇所において、基板１３の方向に向かって窪んだ凹部１１７をさらに含むことも可能であり、これにより交差箇所に影が発生することを一層防止し、光源モジュール１０の出光をより均一にする。ここで、図１及び図２が示す凹部１１７の形状は例示説明に過ぎず、本発明はこれに限定されない。複数の第一仕切り板１１２と複数の第二仕切り板１１３の交差箇所において基板１３の方向に向って窪んだ凹部を有するものは、全て本発明の範囲に属する。
【００２６】
本発明の一実施例において、反射アセンブリ１１の複数の第一仕切り板１１２、複数の第二仕切り板１１３、複数の反射構造１１５と複数の接続部材１１６のみが一体成型され、筐体１２は反射アセンブリ１１と一体成型されていない。
【００２７】
本発明の一実施例において、反射アセンブリ１１の複数の反射構造１１５に透光孔１１５１を開けず、光源モジュール１０は反射構造１１５によって基板１３まで反射された光線のみを光混合させることで、点光源１３１が発した光線の中心領域の光強度がその他の方向の光線より大き過ぎることに起因し、反射構造１１５の透光孔１１５１を通過し拡散板１５に入射する時に、拡散板上にもはっきりした明るい点が形成される問題を防止できる。
【００２８】
本発明の一実施例において、第一方向Ａと第二方向Ｂは例えば互いに垂直であって、複数の第一仕切り板１１２と複数の第二仕切り板１１３が交互に設置されて複数の反射溝孔１１４を形成し、碁盤のように配列されてもよい。
【００２９】
本発明の一実施例において、反射アセンブリ１１の各接続部材１１６と複数の第一仕切り板１１２及び／又は複数の第二仕切り板１１３の接続箇所に、さらに補強構造（図示せず）を有してもよい。この補強構造は例えば、各接続部材１１６と複数の第一仕切り板１１２及び／又は複数の第二仕切り板１１３の接続箇所の接触面積を大きくすることで実現され、各接続部材１１６と複数の第一仕切り板１１２及び／又は複数の第二仕切り板１１３の接続をより堅固にすることができるが、本発明はこれに限定されない。
【００３０】
図４は本発明の別の実施例の光源モジュールの一部構造の断面概略図である。図４を参照すると、光源モジュール２０は反射アセンブリ２１、筐体２２、基板２３、拡散板１５及び複数の点光源１３１を含む。反射アセンブリ２１は複数の第一仕切り板２１２、複数の第二仕切り板（図示せず）、複数の反射構造２１５及び複数の接続部材２１６を有する。且つ、反射構造２１５は複数の透光孔２１５１を有する。筐体２２は支持部２２１及び支持部２２３を有する。基板２３は上表面２３３を有する。
【００３１】
本実施例の光源モジュール２０は図１、図２及び図３が示す光源モジュール１０に類似する構造と機能を有する。本実施例と図１、図２及び図３が示す実施例の相違点は、反射アセンブリ２１の各反射構造２１５がさらに、対応する点光源１３１に向って突出した反射部２１５３を有してもよい。点光源１３１が発射した光線が反射構造２１５に入射する時、その一部の光線は突出した反射部２１５３によって反射される。突出した反射部２１５３は、平面の反射構造に比べて、より優れた拡散効果を有し、点光源１３１が発射した光線を反射アセンブリ２１の反射溝孔２１４中により均一に混合させ、さらに光源モジュール２０の出光をより均一することができる。なお、図４が示す反射構造２１５の反射部２１５３の形状は例示説明に過ぎず、反射部２１５３は例えばテーパー状の凸起部及び／又は半球状の凸起部であってもよく、本発明はこれに限定されない。反射アセンブリ２１の反射構造２１５が対応する点光源１３１に向って突出した反射部を有するものであれば、すべて本発明の範囲内に属する。
【００３２】
また、本実施例の反射アセンブリ２１はさらに複数の定位柱２１８を有し、各定位柱２１８の一端が複数の接続部材２１６のうちの一つに接続され、他端が基板２３に固定されてもよい。また、基板２３は例えば複数の実装孔２３５を有し、各定位柱２１８の他端を基板２３の実装孔２３５に固定してもよい。反射アセンブリ２１の定位柱２１８の一端を接続部材２１６に接続させ、他端を基板２３の実装孔２３５に固定することで、反射アセンブリ２１をより堅固に基板２３の上に設置し、且つ光源モジュール２０全体の構造をより堅固にするとともに、反射アセンブリ２１中の複数の反射構造２１５、接続部材２１６と基板２３との間隔を安定して維持することが可能で、重量などの要素によって複数の反射構造２１５、接続部材２１６が湾曲変形し、光混合効果が低下することを防げる。本実施例において、各接続部材２１６が一つの定位柱２１８を有する例を説明したが、その他の実施例において、各接続部材２１６が複数の定位柱２１８を有することも可能であり、本発明はこれに限定されない。
【００３３】
また、本実施例中の各反射アセンブリ２１の第一仕切り板２１２は対向する底面２１２１と頂面２１２３を有し、且つ頂面２１２３の幅が底面２１２１の幅より小さい。本実施例中の各反射アセンブリ２１の第二仕切り板（図示せず）も対向する底面と頂面を有し、且つ頂面の幅が底面の幅より小さく、第二仕切り板の構造が第一仕切り板２１２の構造と同じ又は類似であってもよい。反射アセンブリ２１の複数の第一仕切り板２１２の頂面２１２３の幅が底面２１２１の幅より小さく、且つ複数の第二仕切り板の頂面の幅が底面の幅より小さいため、複数の第一仕切り板２１２と複数の第二仕切り板の拡散板１５に近い頂面が比較的に小さい幅を有し、複数の第一仕切り板２１２と複数の第二仕切り板が拡散板１５の上方に影を形成することを防止することで、光源モジュール１０の出光をより均一にすることができる。一方、複数の第一仕切り板２１２と複数の第二仕切り板の底面が十分な幅を有するため、反射アセンブリ２１全体の構造強度を保つと同時に、基板２３上に反射アセンブリ２１を実装する時の安定性を維持できる。また、図１から図３が示す光源モジュール１０中の第一仕切り板１１２及び第二仕切り板１１３を本実施例の第一仕切り板２１２及び第二仕切り板に替えてもよい。
【００３４】
本発明の一実施例において、反射アセンブリ２１の複数の第一仕切り板２１２、複数の第二仕切り板、複数の反射構造２１５、複数の反射部２１５３、複数の接続部材２１６、複数の定位柱２１８と筐体２２が一体成型されている。
【００３５】
本発明の一実施例において、反射アセンブリ２１の複数の第一仕切り板２１２、複数の第二仕切り板、複数の反射構造２１５、複数の反射部２１５３、複数の接続部材２１６及び複数の定位柱２１８が一体成型されているが、筐体２２は反射アセンブリ２１と一体成型されていない。
【００３６】
図５Ａは本発明のさらに別の実施例の光源モジュールの一部構造の概略図であり、図５Ｂは図５Ａが示す光源モジュールの一部構造のＤ‐Ｄ線に沿った断面概略図である。説明の便宜上、図５Ａには拡散板１５が示されていない。図５Ａ及び図５Ｂを参照すると、光源モジュール３０は反射アセンブリ１１ａ、筐体１２、基板１３、拡散板１５及び複数の点光源１３１を含む。反射アセンブリ１１ａは複数の第一仕切り板１１２、複数の第二仕切り板１１３、複数の反射構造１１５、複数の接続部材１１６及び底板１１９を有する。なお、反射構造１１５は複数の透光孔１１５１を有する。
【００３７】
本実施例の光源モジュール３０は図１、図２及び図３が示す光源モジュール１０に類似する構造と機能を有する。本実施例と図１、図２及び図３が示す実施例の相違点は、反射アセンブリ１１ａがさらに底板１１９を有することである。底板１１９は基板１３の上表面１３３の上に設置され、且つ複数の第一仕切り板１１２及び複数の第二仕切り板１１３の下方に位置する。底板１１９に複数の穿通孔１１９１が貫通して設けられ、複数の点光源１３１がそれぞれ底板１１９の複数の穿通孔１１９１に対応して穿設されている。
【００３８】
本実施例において、点光源１３１が発した光線は底板１１９の穿通孔１１９１から発射される。同時に、点光源１３１が発した光線の中、反射構造１１５に反射された一部が底板１１９まで反射され、且つ、底板１１９は高反射率を有する材料で作製することができるため、光源１３１が発した光線を反射アセンブリ１１ａの反射溝孔１１４中により均一に光混合させ、光源モジュール３０の出光をより均一にすることができる。
【００３９】
本発明の一実施例において、反射アセンブリ１１ａの複数の第一仕切り板１１２、複数の第二仕切り板、複数の反射構造１１５、複数の接続部材１１６、底板１１９と筐体１２が一体成型されている。
【００４０】
図６Ａは本発明のさらに別の実施例の光源モジュールの一部構造の概略図であり、図６Ｂは図６Ａが示す光源モジュールの一部構造のＥ−Ｅ線に沿った断面概略図である。説明の便宜上、図６Ａには拡散板１５が示されていない。図６Ａ及び図６Ｂを参照すると、光源モジュール６０は反射アセンブリ６１、基板１３及び複数の点光源１３１を含む。反射アセンブリ６１は複数の第一仕切り板６１２、複数の第二仕切り板６１３、複数の反射構造６１５、底板６１９及び複数の連結部材６１９３を有する。
【００４１】
本実施例の光源モジュール６０は図１、図２及び図３が示す光源モジュール１０と類似する構造と機能を有する。本実施例と図１、図２及び図３が示す実施例の相違点は、本実施例の反射アセンブリ６１は接続部材を有せず、反射アセンブリ６１は底板６１９及び複数の連結部材６１９３を有してもよい。底板６１９は基板１３の上表面１３３の上に設置され、且つ複数の第一仕切り板６１２及び複数の第二仕切り板６１３の下方に位置する。底板６１９に複数の穿通孔６１９１が貫通して設けられており、複数の点光源１３１がそれぞれ複数の穿通孔６１９１に対応して穿設されている。各反射構造６１５は少なくとも一つの連結部材６１９３によって底板６１９に接続される。本実施例において、各反射構造６１５は４つの連結部材６１９３によって底板６１９に接続されているが、本発明はこれに限定されない。
【００４２】
本実施例において、反射アセンブリ６１の反射構造６１５は少なくとも一つの連結部材６１９３によって底板６１９に接続され、少なくとも一つの連結部材６１９３によって反射構造６１５を支持し、複数の反射構造６１５がそれぞれ複数の点光源１３１の上方に位置し、且つ複数の点光源１３１の発光面を覆う。同時に、点光源１３１が発した光線の中、反射構造６１５に反射された一部が底板１１９まで反射され、且つ底板６１９に反射されるため、光線を反射アセンブリ６１の反射溝孔６１４中により均一に光混合させ、光源モジュール６０の出光をより均一にすることができる。
【００４３】
本発明の一実施例において、光源モジュール６０はさらに筐体６２及び拡散板１５を含み、筐体６２は例えば支持部６２１及び支持部６２３を有してもよい。なお、光源モジュール６０の筐体６２及び拡散板１５は、図１、図２及び図３が示した実施例の光源モジュール１０の筐体１２及び拡散板１５と類似する構造と機能を有するため、ここで説明を省略する。
【００４４】
本発明の一実施例において、反射アセンブリ６１の底板６１９、複数の連結部材６１９３、複数の第一仕切り板６１２、複数の第二仕切り板６１３、複数の反射構造６１５と筐体６２が一体成型されている。
【００４５】
以上をまとめると、本発明の実施例の光源モジュールは、複数の第一仕切り板、複数の第二仕切り板及び複数の反射構造を設置して複数の反射溝孔を形成することにより、反射溝孔中に設置された点光源が発した光線を多様なルートで拡散板まで伝達することが可能であるため、非常に優れた光混合の効果が得られ、反射溝孔内の光源が中心（即ち、点光源の所在位置）に集中する問題を防止し、光源モジュールの拡散板と基板間の光混合距離を大幅に低減させ、さらに本発明の光源モジュールを応用した表示装置、ライトボックス又は商業用看板の厚さを大幅に縮小することができる。
以上に記載したのは本発明の好ましい実施例であり、本発明の実施範囲がこれに限定されるべきではない。即ち、本発明の請求の範囲及び発明の詳細な説明を基に行った簡単な等価変更及び修正も本発明の請求範囲内に属する。また、本発明の実施例又は請求項のいずれかが必ずしも本発明の開示した目的又は利点又は特徴を全て満たすとは限らない。その他、要約書と発明の名称は特許文献の検索のために用いられるものであり、本発明の権利範囲を制限するものではない。また、明細書又は請求の範囲に言及された「第一」、「第二」などの用語は、素子（ｅｌｅｍｅｎｔ）を示す名称であり、素子の数量の上限又は下限を制限するものではない。
【図１】
2019012687.tif 000003
【図２】
2019012687.tif 000004
【図３】
2019012687.tif 000005
【図４】
2019012687.tif 000006
【図５Ａ】
2019012687.tif 000007
【図５Ｂ】
2019012687.tif 000008
【図６Ａ】
2019012687.tif 000009
【図６Ｂ】
2019012687.tif 000010